(57)【要約】【課題】押圧操作時に動作不良を起こしにくくて信頼性が高く、かつクリック感の重複も起こらず操作感触が良好な回転型電気部品を提供すること。【解決手段】中空状の軸受部１ａと環状の第１および第２収納部１ｂ，２ａとを有するハウジング（ケース１，２）と、軸受部１ａに外挿されて回転可能かつ軸線方向へ往復動可能に支持された中空状の操作軸３と、第２収納部２ａに配設されて操作軸３の回転情報を検出する回転検出手段と、傾動支点部６ａおよび作用点部６ｂを有して第１収納部１ｂに配設され操作軸３に対する押圧操作力によって傾動する駆動体６と、第１収納部１ｂに配設されて傾動した駆動体６の作用点部６ｂに押圧駆動されるプッシュスイッチ４とを備えた回転型電気部品であって、駆動体６は周方向に１８０度離れて位置する傾動支点部６ａと作用点部６ｂとの間の所定位置を押圧操作力の付与される力点部６ｃとなしている。【選択図】図２
2010282750.tif 000002
【特許請求の範囲】
【請求項１】
中空状の軸受部を有すると共に該軸受部の周囲に環状の収納部を有するハウジングと、前記軸受部に外挿されて回転可能かつ軸線方向へ往復動可能に支持された中空状の操作軸と、前記収納部に配設されて前記操作軸の回転情報を検出する回転検出手段と、傾動支点部および作用点部を有して前記収納部に配設され、前記操作軸に対する軸線方向への押圧操作力によって傾動する駆動体と、前記収納部に配設されて前記駆動体の前記作用点部に押圧駆動されるプッシュスイッチとを備え、
前記駆動体に前記傾動支点部と前記作用点部とが前記操作軸の回転中心線を挟んで略対向する位置に設けられていると共に、これら傾動支点部と作用点部との間の所定位置が前記押圧操作力の付与される力点部となっていることを特徴とする回転型電気部品。
【請求項２】
請求項１の記載において、押圧突起を有する押圧体を前記駆動体と前記操作軸との間に回転不能かつ軸線方向へ往復動可能に介在させ、前記押圧突起を前記力点部上に搭載したことを特徴とする回転型電気部品。
【請求項３】
請求項２の記載において、前記押圧体が一対の前記押圧突起を有するリング状に形成されていると共に、前記駆動体が前記作用点部から略等距離な２個所をそれぞれ前記力点部となしたリング状に形成されていることを特徴とする回転型電気部品。
【請求項４】
請求項３の記載において、前記押圧体が周方向に略１８０度離れた２個所にそれぞれ前記押圧突起を有すると共に、前記駆動体が周方向に略１８０度離れた２個所をそれぞれ前記力点部となしていることを特徴とする回転型電気部品。
【請求項５】
請求項４の記載において、前記押圧体の全体形状が点対称であると共に、前記傾動支点部と前記作用点部とが同形状で前記駆動体の全体形状が点対称であることを特徴とする回転型電気部品。
【請求項６】
請求項２〜５のいずれか１項の記載において、前記収納部が軸線方向に沿って第１収納部と第２収納部とに分割されていると共に、前記ハウジングが、前記軸受部および前記第１収納部を有する第１のケースと、前記第１収納部の前方に配置される前記第２収納部を有する第２のケースとを一体化して構成されており、前記第１収納部に前記プッシュスイッチと前記駆動体および前記押圧体とが配設され、かつ前記第２収納部に前記回転検出手段が配設されていることを特徴とする回転型電気部品。
【請求項７】
請求項２〜６のいずれか１項の記載において、前記プッシュスイッチと前記駆動体の前記作用点部との間に弾性部材を介在させ、この弾性部材上に前記作用点部を搭載したことを特徴とする回転型電気部品。
【発明の詳細な説明】
【技術分野】
【０００１】
本発明は、押圧操作用のプッシュスイッチを備えた回転型電気部品に係り、特に、中央部に他の部品の収納スペースが確保されているプッシュスイッチ付き回転型電気部品に関する。
【背景技術】
【０００２】
プッシュスイッチ付き回転型電気部品として、回転可能かつ軸線方向へ往復動可能な操作軸を中央部に組み込み、この操作軸の後方にプッシュスイッチを設置すると共に、操作軸にスプライン結合された回転体等を含む回転検出手段（エンコーダや可変抵抗器）を操作軸の周囲に配設するという構成のものが広く知られている。このものは、操作軸を軸線方向へ押圧操作すると、プッシュスイッチが押圧駆動されてスイッチオン信号が出力され、操作軸を回転操作すると、回転体が供回りして回転検出手段にて操作軸の回転情報が検出されるようになっている。
【０００３】
しかしながら、上述した回転型電気部品の中央部には操作軸やプッシュスイッチが配設されているため、該中央部に他の部品を組み込むことができず、例えば照光用のＬＥＤ等の他の部品を追加する場合には、その部品を回転型電気部品の外側に配設しなければならない。それゆえ、かかる回転型電気部品を他の部品と組み合わせて多機能化を図ると、実装領域が不所望に拡大してしまったり、操作軸に取着されるつまみ部材の中央部が照光させにくい等の不具合を生じていた。
【０００４】
そこで従来、中空状の操作軸を回転可能かつ軸線方向へ往復動可能に組み込むことによって、中央部に他の部品の収納スペースを確保したプッシュスイッチ付き回転型電気部品が提案されている（例えば、特許文献１参照）。かかる従来提案において、回転型電気部品のハウジングには、操作軸を回転可能かつ軸線方向へ往復動可能に支持する中空状の軸受部と、該軸受部の周囲に回転検出手段（エンコーダ）と複数のプッシュスイッチとを配設するための環状の収納部とが設けられており、軸受部に包囲された円柱状の内方空間が他の部品の収納スペースとして利用できるようになっている。回転検出手段には、操作軸にスプライン結合されて摺動子が取着された回転体と、該摺動子が摺動可能な導電パターンとが設けられており、操作軸が回転操作されると、回転体が供回りして摺動子が導電パターンに接離するため、操作軸の回転情報を検出することができる。また、略等間隔に配設された複数（例えば３個）のプッシュスイッチ上にリング状の押圧部材が安定した姿勢で搭載されているため、操作軸が押圧操作されると、少なくともいずれか１個のプッシュスイッチが押圧部材を介して押圧駆動されるようになっている。つまり、操作軸と軸受部との間には若干のクリアランスが必要なため、押圧操作時に操作軸が斜めに傾いた状態で押し込まれることがあるが、その場合にも操作軸と同じ向きに傾く押圧部材によって、傾いた側に存するプッシュスイッチを押圧駆動することができるため、操作軸がどの向きに傾いても必ずいずれかのプッシュスイッチは押圧駆動されてスイッチオン信号を出力させることができる。こうすることによって押圧操作時に動作不良が起こりにくくなるため、信頼性を大幅に高めることができる。
【先行技術文献】
【特許文献】
【０００５】
【特許文献１】特開２００８−１１２９７５号公報
【発明の概要】
【発明が解決しようとする課題】
【０００６】
ところで、特許文献１に開示されている従来の回転型電気部品では、押圧操作時に操作軸が傾いた状態で押し込まれても確実にプッシュスイッチが押圧駆動できるようにするため、複数のプッシュスイッチを略等間隔に配設して信頼性を高めているが、これら複数のプッシュスイッチが時間差をもって連続的に押圧駆動されたときに、各プッシュスイッチの生起するクリック感が操作者の手指に連続的に伝わってしまうという問題があった。すなわち、各プッシュスイッチには反転時にクリック感を生起するドーム状のメタルコンタクトが内蔵されているため、複数のプッシュスイッチが同時に押圧駆動されない限り各メタルコンタクトの反転するタイミングにズレが生じてしまい、それゆえ押圧操作時にクリック感の重複が起こって操作感触が損なわれやすかった。
【０００７】
本発明は、このような従来技術の実情に鑑みてなされたものであり、その目的は、押圧操作時に動作不良を起こしにくくて信頼性が高く、かつクリック感の重複も起こらず操作感触が良好な回転型電気部品を提供することにある。
【課題を解決するための手段】
【０００８】
上記の目的を達成するために、本発明の回転型電気部品では、中空状の軸受部を有すると共に該軸受部の周囲に環状の収納部を有するハウジングと、前記軸受部に外挿されて回転可能かつ軸線方向へ往復動可能に支持された中空状の操作軸と、前記収納部に配設されて前記操作軸の回転情報を検出する回転検出手段と、傾動支点部および作用点部を有して前記収納部に配設され、前記操作軸に対する軸線方向への押圧操作力によって傾動する駆動体と、前記収納部に配設されて前記駆動体の前記作用点部に押圧駆動されるプッシュスイッチとを備え、前記駆動体に前記傾動支点部と前記作用点部とが前記操作軸の回転中心線を挟んで略対向する位置に設けられていると共に、これら傾動支点部と作用点部との間の所定位置が前記押圧操作力の付与される力点部となっているという構成にした。
【０００９】
このように構成された回転型電気部品は、同一の操作軸で回転操作と押圧操作とを行えて操作性が良好であると共に、ハウジングの軸受部に包囲された内方空間を他の部品の収納スペースとして利用できるため、実装領域を拡大することなく多機能化を図ることができる。また、押圧操作時に操作軸が傾いた状態で押し込まれたとしても、押圧操作力が付与される駆動体の力点部の位置は不変なので、駆動体を常に同じ向きに傾動させることができ、それゆえ駆動体の作用点部によって同一のプッシュスイッチを確実に押圧駆動することができる。つまり、この回転型電気部品は、複数のプッシュスイッチを配設しなくても押圧操作時に確実にスイッチオン信号を出力させることができるため、押圧操作時に動作不良を起こしにくい高信頼性を実現しつつ、クリック感の重複が起こらない良好な操作感触を常に得られるようになっている。
【００１０】
上記の構成において、押圧突起を有する押圧体を駆動体と操作軸との間に回転不能かつ軸線方向へ往復動可能に介在させ、該押圧突起を駆動体の力点部上に搭載しておけば、押圧体の押圧突起を介して押圧操作力を駆動体の所定位置（力点部）に確実に付与することができるため好ましい。
【００１１】
この場合において、押圧体が一対の押圧突起を有するリング状に形成されていると共に、駆動体が作用点部から略等距離な２個所をそれぞれ力点部となしたリング状に形成されていると、押圧体や駆動体の形状を単純化できるため好ましい。そして、押圧体が周方向に略１８０度離れた２個所にそれぞれ押圧突起を有すると共に、駆動体が周方向に略１８０度離れた２個所をそれぞれ力点部となしている場合には、操作軸が傾いた状態で押し込まれたとしても、作動ストロークがほとんどばらつかなくなるため一層好ましい。また、これに加えて、押圧体の全体形状が点対称であると共に、傾動支点部と作用点部とが同形状で駆動体の全体形状が点対称であると、押圧体や駆動体の組み付け作業が容易に行えるため組立性が向上する。
【００１２】
また、上記の構成において、ハウジングの収納部が軸線方向に沿って第１収納部と第２収納部とに分割されていると共に、該ハウジングが、軸受部および第１収納部を有する第１のケースと、第１収納部の前方に配置される第２収納部を有する第２のケースとを一体化して構成されており、第１収納部にプッシュスイッチと駆動体および押圧体とが配設され、かつ第２収納部に回転検出手段が配設されていると、回転型電気部品が大径化せず組立性も向上するため好ましい。
【００１３】
また、上記の構成において、プッシュスイッチと駆動体の作用点部との間に弾性部材を介在させ、この弾性部材上に作用点部を搭載すれば、使用する弾性部材を適宜選択することによって押圧操作時の作動ストロークや作動力を容易に変更可能となる。
【発明の効果】
【００１４】
本発明の回転型電気部品は、同一の操作軸で回転操作と押圧操作とを行えて操作性が良好であると共に、ハウジングの軸受部に包囲された内方空間を他の部品の収納スペースとして利用できるため、実装領域を拡大することなく多機能化を図ることができる。また、押圧操作時に操作軸が傾いた状態で押し込まれたとしても、押圧操作力が付与される駆動体を常に同じ向きに傾動させることができるため、駆動体の作用点部によって同一のプッシュスイッチを確実に押圧駆動することができ、複数のプッシュスイッチを配設する必要がなくなる。それゆえ、この回転型電気部品は、押圧操作を確実に行えて信頼性が高いだけでなく、クリック感の重複が起こらないため操作感触が良好である。
【図面の簡単な説明】
【００１５】
【図１】本発明の実施形態例に係る回転型電気部品の外観図である。
【図２】該回転型電気部品を斜め上方から見た分解斜視図である。
【図３】該回転型電気部品を斜め下方から見た分解斜視図である。
【図４】駆動体の傾動支点部および作用点部を示す該回転型電気部品の縦断面図（図５中IV−IV）である。
【図５】押圧体の押圧突起を示す該回転型電気部品の縦断面図（図４中Ｖ−Ｖ）である。
【図６】該回転型電気部品のハウジングを構成する第１のケースの平面図である。
【図７】該回転型電気部品のハウジングを構成する第２のケースの平面図である。
【発明を実施するための形態】
【００１６】
発明の実施の形態を図１〜図７を参照して説明すると、本発明の実施形態例に係る回転型電気部品は、中空状の軸受部１ａおよび環状の第１収納部１ｂを有する第１のケース１と、環状の第２収納部２ａを有して軸受部１ａを包囲する第２のケース２と、軸受部１ａに外挿されて回転可能かつ軸線方向へ往復動（前後進）可能に支持された中空状の操作軸３と、第１収納部１ｂ内の１個所に設けられたプッシュスイッチ４と、プッシュスイッチ４を覆うように第１収納部１ｂ内に配置されたラバーシート５と、第１収納部１ｂ内に配置されて傾動可能なリング状の駆動体６と、駆動体６上に搭載されて回転不能かつ軸線方向へ往復動可能なリング状の押圧体７と、第２収納部２ａの内底面に配設された導電パターン８と、前面側に凹凸のカム面９ａが形成されて操作軸３にスプライン結合された回転体９と、回転体９の後面側に取着された一対の摺動子１０と、一対のローラ１１を保持してカム面９ａに弾接させている一対の板ばね１２と、各板ばね１２が取着されて第１および第２のケース１，２を抱持している取付部材１３とによって主に構成されている。
【００１７】
第１のケース１と第２のケース２はいずれも樹脂成形品である。これら第１および第２のケース１，２は積層状態で一体化されてハウジングを構成しており、第１収納部１ｂの前方に第２収納部２ａが配置され、両収納部１ｂ，２ａが第２のケース２の底板部によって隔てられている。つまり、第１および第２のケース１，２を組み合わせて構成されるハウジングは、軸線方向に沿って第１収納部１ｂと第２収納部２ａとに分割された環状の収納部を有する。また、このハウジングは、軸受部１ａに包囲された内方空間（貫通孔１ｃ）がＬＥＤ等の他の部品の収納スペースとして利用できるようになっている。
【００１８】
第１のケース１には、貫通孔１ｃを有する軸受部１ａが第１収納部１ｂの内周縁に環状に立設されており、第１収納部１ｂの外周縁には低背な外壁部１ｄが環状に立設されている。軸受部１ａの外周面の基端側には、周方向に１８０度離れた２個所に回り止め突起１ｅが形成されている。また、図６に示すように、外壁部１ｄには、第２のケース２を位置決め状態で係止するするための４つの係止穴１ｆと、駆動体６を位置決めして回転を阻止するための一対の凹段部１ｇとが形成されている。第１収納部１ｂの内底面には駆動体６を支持する受け部１ｈが形成されていると共に、インサート成形技術によって固定接点１４が配設されており、固定接点１４から導出された出力端子１５が外壁部１ｄから後方へ突出している。なお、受け部１ｈと固定接点１４は周方向に１８０度離れた位置関係にある。また、第１収納部１ｂの内底面上には、固定接点１４と接離可能に対向するドーム状の可動接点板（メタルコンタクト）１６と、この可動接点板１６を覆う可撓性シート１７と、可撓性シート１７を介して可動接点板１６を覆うラバーシート５とが搭載されている。固定接点１４および可動接点板１６はプッシュスイッチ４を構成しており、このプッシュスイッチ４を可撓性シート１７で密閉することによって異物の侵入に起因する短絡や導通不良を未然に防止している。受け部１ｈ上には駆動体６の傾動支点部６ａが搭載され、ラバーシート５上には駆動体６の作用点部６ｂが搭載される。そして、この作用点部６ｂがラバーシート５を介してドーム状の可動接点板１６を所定量押し込むと、可動接点板１６が弾性的に反転して固定接点１４に当接し、出力端子１５からスイッチオン信号が出力されるようになっている。
【００１９】
一方、第２のケース２には、第２収納部２ａの外周縁に外壁部２ｂが環状に立設されていると共に、底面の４個所に取付ボス２ｃが突設されている。また、導電パターン８から導出された出力端子１８が外壁部２ｂの一部から後方へ突出している。導電パターン８はインサート成形技術によって第２収納部２ａの内底面に配設されたエンコーダ用パターンであり、回転体９の回転に伴って摺動子１０が導電パターン８上を摺動するようになっている。なお、導電パターン８は外周側でコードパターンで内周側がコモンパターンである（図７参照）。この第２のケース２は、各取付ボス２ｃを対応する係止穴１ｆに挿入することによって、第１収納部１ｂを覆うように第１のケース１の外壁部１ｄ上に設置されている。
【００２０】
駆動体６は金属板を点対称なリング状にプレス加工したものである。この駆動体６には周方向に１８０度離れた２個所に、後方へ膨出する同形状の傾動支点部６ａと作用点部６ｂとが形成されている。また、駆動体６には傾動支点部６ａの近傍２個所と作用点部６ｂの近傍２個所にそれぞれフック状の係合片６ｃが形成されており、これら係合片６ｃが凹段部１ｇに挿入されているため、駆動体６は第１収納部１ｂ内で回転不能となっている。ただし、第１収納部１ｂ内で傾動支点部６ａが受け部１ｈ上に搭載されて作用点部６ｂがラバーシート５上に搭載されているため、駆動体６は傾動支点部６ａを支点として傾動可能であり、駆動体６を傾動させることによって作用点部６ｂでラバーシート５を押し撓めることができる。具体的には、操作軸３が軸線方向へ押圧操作されたときに、その押圧操作力が押圧体７を介して駆動体６の所定位置（力点部６ｄ）に付与されることにより、駆動体６が傾動するようになっている。この力点部６ｄは駆動体６の内周部で傾動支点部６ａおよび作用点部６ｂから等距離な位置に２個所設定されており、これら一対の力点部６ｄ上にそれぞれ押圧体７の押圧突起７ａが搭載されている。
【００２１】
押圧体７は点対称なリング状の樹脂成形品である。この押圧体７の内壁部の後端側には、周方向に１８０度離れた２個所に切欠き７ｂが形成されている。第１収納部１ｂ内で各切欠き７ｂにはそれぞれ回り止め突起１ｅが係合可能に挿入されているため、押圧体７は回転不能となっている。また、押圧体７には各切欠き７ｂの近傍に径方向外側へせり出す耳部７ｃが突設されており、各耳部７ｃに後方へ突出する押圧突起７ａが形成されている。図５に示すように、これら一対の押圧突起７ａを駆動体６の一対の力点部６ｄ上に搭載した状態で、押圧体７は操作軸３と駆動体６との間に挟持されているため、この押圧体７は軸線方向へ往復動可能である。具体的には、操作軸３が押圧操作されると、押圧体７が後方へ移動して駆動体６を傾動させ、押圧操作力が取り除かれると、可動接点板１６やラバーシート５の復元力によって押圧体７および操作軸３が前方へ押し戻されるようになっている。
【００２２】
操作軸３は略円筒状の樹脂成形品であり、軸受部１ａに外挿されて押圧体７上に搭載されている。この操作軸３は軸受部１ａの外周面に沿って回転可能かつ前後進可能であり、回転操作時には操作軸３にスプライン結合された回転体９が操作軸３と一体的に回転し、押圧操作時には操作軸３を搭載している押圧体７が操作軸３と一体的に前後進するようになっている。この操作軸３の外周面には、軸線方向に沿って延びるガイド部３ａと該ガイド部３ａよりも幅広で短寸な駆動部３ｂとが交互に複数形成されている。これらガイド部３ａと駆動部３ｂは操作軸３に外挿された回転体９の内壁部と係合しており、組立時にはガイド部３ａでガイドしながら回転体９を容易に操作軸３に組み付けることができ、操作軸３が回転操作されると、駆動部３ｂが回転体９に回転操作力を伝達するようになっている。また、操作軸３の外周面には複数個所に爪部３ｃが形成されている。これら爪部３ｃは、図示せぬつまみ部材を係止して該つまみ部材を操作軸３に装着させるためのものである。
【００２３】
回転体９はリング状の樹脂成形品であり、環状に突設された内壁部に幅狭ガイド溝９ｂと幅広ガイド溝９ｃが交互に複数形成されている。そして、幅狭ガイド溝９ｂにガイド部３ａを挿入して幅広ガイド溝９ｃに駆動部３ｂを挿入することによって、回転体９は操作軸３にスプライン結合されており、操作軸３が回転操作されると回転体９は一体的に回転するが、操作軸３が押圧操作されても回転体９は静止したままである。この回転体９の内壁部を包囲する環状のカム面９ａには凹凸が交互に形成されており、操作軸３が回転操作されると、回転体９が供回りして一対のローラ１１がカム面９ａ上を相対的に摺動するため、ローラ１１がカム面９ａに係脱して生起されるクリック感が操作者の手指に伝わるようになっている。また、回転体９の後面側には導電パターン８に弾接する一対の摺動子１０が保持されており、回転体９の回転に伴って摺動子１０が導電パターン８上を摺動するため、導電パターン８に対する摺動子１０の位置変化から回転体９の回転方向および回転角度が検出されるようになっている。すなわち、この回転型電気部品は、導電パターン８と回転体９と摺動子１０とによって操作軸３の回転情報を検出する回転検出手段が構成されている。
【００２４】
板ばね１２は弾性に富む金属板（例えばステンレスやリン青銅等）からなり、略Ｃ字形状の一対の板ばね１２が回転体９のカム面９ａに対向して環状に配置されている。各板ばね１２は、両端部が取付部材１３の係合ピン部１３ａに係止されて環状天板部１３ｂに保持されており、中間部がローラ１１のシャフト１１ａを回転可能に保持している。そして、図４に示すように、一対の板ばね１２の弾性付勢力によって、周方向に１８０度離れて位置する一対のローラ１１が回転体９のカム面９ａに弾接している。それゆえ、回転体９の回転に伴ってローラ１１が凹凸のカム面９ａに係脱してクリック感が生起され、このクリック感によって操作者は回転操作量を把握できるようになっている。
【００２５】
取付部材１３は金属板を打ち抜いて曲げ加工を施したものである。この取付部材１３には、複数の係合ピン部１３ａを有する環状天板部１３ｂと、環状天板部１３ｂの外周縁から後方へ延出する複数の係合脚片１３ｃおよび取付脚片１３ｄとが形成されている。環状天板部１３ｂは第２収納部２ａを覆うように第２のケース２の外壁部２ｂ上に配置されており、係合ピン部１３ａによって板ばね１２を保持している。また、図１に示すように、複数の係合脚片１３ｃは第１および第２のケース１，２を抱持して両ケース１，２を一体化している。なお、複数の取付脚片１３ｄは、この回転型電気部品が実装される図示せぬ配線基板に係止されるようになっている。
【００２６】
このように構成された回転型電気部品は、操作軸３に装着された図示せぬつまみ部材に対して回転操作と押圧操作とが行われ、回転操作時には操作軸３が該つまみ部材と一体的に回転し、押圧操作時には操作軸３が該つまみ部材と一体的に軸線方向後方へ押し込まれる。
【００２７】
操作者がつまみ部材を介して操作軸３を回転操作すると、操作軸３にスプライン結合されている回転体９が供回りして摺動子１０が導電パターン８上を摺動するため、導電パターン８に対する摺動子１０の接触位置が変化して操作軸３の回転方向および回転角度が検出される。その際、ローラ１１がカム面９ａに係脱してクリック感が生起されるため、このクリック感によって操作者は回転操作量を把握することができる。
【００２８】
また、操作者がつまみ部材を介して操作軸３を押圧操作すると、操作軸３が後方へ移動して押圧体７を押し込むため、操作軸３と一体的に押圧体７が後方へ移動して押圧突起７ａが駆動体６を傾動させ、駆動体６の作用点部６ｂがラバーシート５を介してドーム状の可動接点板１６を押し込む。そして、作用点部６ｂが可動接点板１６を所定量押し込んだ時点で、可動接点板１６が反転して固定接点１４に当接するため、プッシュスイッチ４がオン動作して押圧操作が検出される。その際、可動接点板１６の反転動作に伴ってクリック感が生起されるため、このクリック感によって操作者は押圧操作が確実に行われたことを感得することができる。また、この後、押圧操作力が取り除かれると、可動接点板１６やラバーシート５の復元力によって、駆動体６が元の水平姿勢に戻ると共に押圧体７および操作軸３が前方へ押し戻される。
【００２９】
なお、操作軸３と軸受部１ａとの間には若干のクリアランスが必要なため、押圧操作時に操作軸３が斜めに傾いた状態で押し込まれることがあるが、その場合にも操作軸３と同じ向きに傾く押圧体７は常に押圧突起７ａが力点部６ｄを押し込むので、操作軸３がどの向きに傾いても駆動体６の傾動する向きは変わらず、作用点部６ｂがラバーシート５を押し込むことになる。
【００３０】
以上説明したように本実施形態例に係る回転型電気部品は、同一の操作軸３で回転操作と押圧操作とを行えて操作性が良好であると共に、第１のケース１の軸受部１ａに包囲された内方空間（貫通孔１ｃ）をＬＥＤ等の他の部品の収納スペースとして利用できるため、実装領域を拡大することなく多機能化を図ったり照光性能を向上させることができる。また、この回転型電気部品は、押圧操作時に操作軸３が傾いた状態で押し込まれても、押圧操作力が付与される駆動体６の力点部６ｄの位置は不変なので、駆動体６を常に同じ向きに傾動させることができ、それゆえ駆動体６の作用点部６ｂによって同一のプッシュスイッチ４を確実に押圧駆動することができる。つまり、この回転型電気部品は、複数のプッシュスイッチを配設しなくても押圧操作時に確実にスイッチオン信号を出力させることができるため、押圧操作時に動作不良を起こしにくい高信頼性を実現しつつ、クリック感の重複が起こらない良好な操作感触が常に得られるようになっている。
【００３１】
また、本実施形態例では、操作軸３を搭載した押圧体７の押圧突起７ａを駆動体６の力点部６ｄ上に搭載しているため、押圧操作力を力点部６ｄに確実に付与することができる。しかも、押圧体７は周方向に１８０度離れた２個所に押圧突起７ａを有する点対称なリング状に形成されており、駆動体６は周方向に１８０度離れた２個所を力点部６ｄとなした点対称なリング状に形成されているため、この回転型電気部品は、押圧体７や駆動体６の形状が単純で両者６，７の組み付け作業も容易に行え、かつ、操作軸３が傾いた状態で押し込まれても、作動ストロークがほとんどばらつかないという利点を有する。ただし、押圧体７や駆動体６の形状は適宜選択可能であり、押圧体７を省略した構成にすることも可能である。
【００３２】
また、本実施形態例では、軸受部１ａおよび第１収納部１ｂを有する第１のケース１と、第１収納部１ｂの前方に配置される第２収納部２ａを有する第２のケース２とを一体化してハウジングを構成していると共に、第１収納部１ｂにプッシュスイッチ４と駆動体６および押圧体７とを配設し、かつ第２収納部２ａに導電パターン８や回転体９等の回転検出手段を配設しているため、回転型電気部品が大径化せず組立性も良好である。
【００３３】
また、本実施形態例では、プッシュスイッチ４と駆動体６の作用点部６ｂとの間に介在したラバーシート５上に該作用点部６ｂを搭載しているため、使用するラバーシート５を適宜選択することによって押圧操作時の作動ストロークや作動力を容易に変更することができる。なお、ラバーシート以外の弾性部材を使用することも可能である。
【符号の説明】
【００３４】
１  第１のケース
１ａ  軸受部
１ｂ  第１収納部
１ｅ  回り止め突起
２  第２のケース
２ａ  第２収納部
３  操作軸
４  プッシュスイッチ
５  ラバーシート
６  駆動体
６ａ  傾動支点部
６ｂ  作用点部
６ｄ  力点部
７  押圧体
７ａ  押圧突起
７ｂ  切欠き
８  導電パターン（回転検出手段）
９  回転体（回転検出手段）
９ａ  カム面
１０  摺動子（回転検出手段）
１１  ローラ
１２  板ばね
１３  取付部材
１４  固定接点
１６  可動接点板
【図１】
2010282750.tif 000003
【図２】
2010282750.tif 000004
【図３】
2010282750.tif 000005
【図４】
2010282750.tif 000006
【図５】
2010282750.tif 000007
【図６】
2010282750.tif 000008
【図７】
2010282750.tif 000009